(57)【特許請求の範囲】
【請求項１】
車両の車室の底面を形成するフロアパネルと、
上記フロアパネル上に車両前後方向にスライド移動可能に支持されたフロントシートと、
上記フロントシートのシートクッションの下端部に下側に突出するように設けられた突出部と、
上記フロントシートのシートクッションと上記フロアパネルとの間に配設された、熱を発する電装部品とを備え、
上記電装部品には、車幅方向における上記突出部と同じ位置を含む所定範囲において、該突出部の下端と略同じ高さ位置又は該突出部の下端よりも高い位置まで段上げされ、かつ車両前後方向において上記フロントシートの車両前後方向のスライド移動に伴う上記突出部の移動範囲内に位置する段上げ部が設けられており、
上記段上げ部には、上記フロントシートの車両前後方向のスライド移動時における上記突出部との干渉を避けるための切欠き部が形成され、
上記フロントシートは、車両前側にスライド移動するに連れて該フロントシートのシートクッションの高さ位置が上昇するように上記フロアパネル上に支持されており、
上記電装部品は、該電装部品の上面が車両前側ほど高くなるように傾斜した状態で、上記フロアパネルに支持され、
上記段上げ部は、上記電装部品に設けられかつ該電装部品を上記フロアパネルに支持するためのブラケットの車両前側の端部に形成され、
上記フロアパネル上における上記電装部品の車幅方向内側の部分に、上記フロントシートの車両後側へ空調風を吹き出す空調ダクトが、車両前後方向に延びるように配設され、
上記ブラケットの車両後側端は、上記空調ダクトの吹出し口よりも車両後側に位置し、
上記ブラケットを含む上記電装部品における上記吹出し口よりも車両後側の空調ダクト側の部分が、車幅方向の空調ダクトとは反対側に切り欠かれ、
上記フロアパネル上に配設され、上記電装部品の車両前側に位置しかつ車幅方向に延びる前側クロスメンバを更に備え、
上記段上げ部における車幅方向内側の部分が、上記前側クロスメンバの上面に支持固定される前側支持部とされ、
上記ブラケットの車両後側の端部における車幅方向外側の部分が、上記フロアパネルにおける上記電装部品の車両後側の部分に支持される後側支持部とされ、
上記段上げ部における車幅方向外側の部分には、上記前側支持部の上記前側クロスメンバへの固定時に、上記前側クロスメンバの上面に当接して、上記前側支持部が上記前側クロスメンバの上面から浮き上がるのを防止する傾き防止部が形成され、
上記切欠き部は、上記前側支持部と上記傾き防止部との間の部分に形成されていることを特徴とする車両の電装部品配設構造。
【請求項２】
請求項１記載の車両の電装部品配設構造において、
上記フロントシートがそのスライド移動可能範囲の最前方位置にあるときに、平面視で、上記電装部品の全体が、該フロントシートのシートクッションと重なっていることを特徴とする車両の電装部品配設構造。
【発明の詳細な説明】
【技術分野】
【０００１】
本発明は、フロントシートのシートクッションとフロアパネルとの間に配設された、熱を発する電装部品を備えた車両の電装部品配設構造に関する技術分野に属する。
【背景技術】
【０００２】
従来より、例えば特許文献１に示されているように、フロントシート（運転席又は助手席シート）のシートクッションと、車室の底面を形成するフロアパネルとの間に、電源装置を配設するようにすることは知られている。
【先行技術文献】
【特許文献】
【０００３】
【特許文献１】特開２００３−３４１３７３号公報
【発明の概要】
【発明が解決しようとする課題】
【０００４】
上記従来例のように、電源装置のような、熱を発する電装部品をフロントシートのシートクッションとフロアパネルとの間に配設するようにすれば、その配設位置が車室内であることから、その電装部品の信頼性を向上させることができるとともに、フロントシート下側の空間を有効に利用することができるようになる。
【０００５】
ところで、上記のような電装部品をフロントシートのシートクッションとフロアパネルとの間に配設する場合、その電装部品の配設スペースを、電装部品自体の大きさや熱を放散するためのスペース等を考慮して出来る限り大きくすることが要求されており、このため、フロアパネル上に配設された部材（例えばクロスメンバ）の上側を利用することが考えられる。これにより、上記電装部品には、フロアパネル上に配設された部材に対応して段上げ部が設けられることになる。
【０００６】
一方、フロントシートのシートクッションの下端部には、シートクッションに配設された部品による凹凸が存在して、下側に突出する突出部が設けられる場合がある。この場合、上記電装部品に設けられた段上げ部が上記突出部と干渉する可能性がある。特にフロントシートは、通常、車両前後方向にスライド移動するので、そのスライド移動時に上記段上げ部が上記突出部と干渉する可能性が高くなる。
【０００７】
本発明は、斯かる点に鑑みてなされたものであり、その目的とするところは、熱を発する電装部品をフロントシートのシートクッションとフロアパネルとの間に配設する場合に、シートクッションの突出部との干渉を避けながら、熱を放散するためのスペースを含む電装部品の配設スペースを出来る限り確保することにある。
【課題を解決するための手段】
【０００８】
上記の目的を達成するために、本発明の車両の電装部品配設構造では、車両の車室の底面を形成するフロアパネルと、上記フロアパネル上に車両前後方向にスライド移動可能に支持されたフロントシートと、上記フロントシートのシートクッションの下端部に下側に突出するように設けられた突出部と、上記フロントシートのシートクッションと上記フロアパネルとの間に配設された、熱を発する電装部品とを備え、上記電装部品には、車幅方向における上記突出部と同じ位置を含む所定範囲において、該突出部の下端と略同じ高さ位置又は該突出部の下端よりも高い位置まで段上げされ、かつ車両前後方向において上記フロントシートの車両前後方向のスライド移動に伴う上記突出部の移動範囲内に位置する段上げ部が設けられており、上記段上げ部には、上記フロントシートの車両前後方向のスライド移動時における上記突出部との干渉を避けるための切欠き部が形成され、上記フロントシートは、車両前側にスライド移動するに連れて該フロントシートのシートクッションの高さ位置が上昇するように上記フロアパネル上に支持されており、上記電装部品は、該電装部品の上面が車両前側ほど高くなるように傾斜した状態で、上記フロアパネルに支持され、上記段上げ部は、上記電装部品に設けられかつ該電装部品を上記フロアパネルに支持するためのブラケットの車両前側の端部に形成され、上記フロアパネル上における上記電装部品の車幅方向内側の部分に、上記フロントシートの車両後側へ空調風を吹き出す空調ダクトが、車両前後方向に延びるように配設され、上記ブラケットの車両後側端は、上記空調ダクトの吹出し口よりも車両後側に位置し、上記ブラケットを含む上記電装部品における上記吹出し口よりも車両後側の空調ダクト側の部分が、車幅方向の空調ダクトとは反対側に切り欠かれ、上記フロアパネル上に配設され、上記電装部品の車両前側に位置しかつ車幅方向に延びる前側クロスメンバを更に備え、上記段上げ部における車幅方向内側の部分が、上記前側クロスメンバの上面に支持固定される前側支持部とされ、上記ブラケットの車両後側の端部における車幅方向外側の部分が、上記フロアパネルにおける上記電装部品の車両後側の部分に支持される後側支持部とされ、上記段上げ部における車幅方向外側の部分には、上記前側支持部の上記前側クロスメンバへの固定時に、上記前側クロスメンバの上面に当接して、上記前側支持部が上記前側クロスメンバの上面から浮き上がるのを防止する傾き防止部が形成され、上記切欠き部は、上記前側支持部と上記傾き防止部との間の部分に形成されている、という構成とした。
【０００９】
上記の構成により、フロアパネル上に配設された部材（例えばクロスメンバ）に対応して、電装部品に段上げ部を設けることで、フロアパネル上に配設された部材の上側も電装部品の配設スペースとして有効に利用することができる。そして、段上げ部は、切欠き部の形成によって、突出部と干渉することはない。よって、段上げ部と突出部との干渉を避けながら、熱を放散するためのスペースを含む電装部品の配設スペースを出来る限り確保することができる。
【００１０】
また、ブラケットにより電装部品をクロスメンバ、延いてはフロアパネルに容易に支持することができるとともに、その支持剛性を向上させることができる。また、ブラケットを電装部品の上側を覆うように設けることで、リヤシートに着座している乗員の足の先端部がブラケットに当たったとしても、このブラケットによって、電装部品を保護することができる。さらに、そのブラケットにより、電装部品の熱が乗員の足の側（上側）へ向かわないようにすることができる。
【００１１】
さらに、上記フロントシートは、車両前側にスライド移動するに連れて該フロントシートのシートクッションの高さ位置が上昇するように上記フロアパネル上に支持されており、上記電装部品は、該電装部品の上面が車両前側ほど高くなるように傾斜した状態で、上記フロアパネルに支持されていることで、フロントシートのシートクッションの下側のスペースを有効に利用することができるとともに、電装部品の車両後側の高さ位置が低くなるので、リヤシートに着座している乗員の足の先端部が電装部品に当たり難くなり、電装部品をより一層効果的に保護することができる。
【００１２】
また、ブラケットの車両後側端が、空調ダクトの吹出し口よりも車両後側に位置し、ブラケットを含む電装部品における吹出し口よりも車両後側の空調ダクト側の部分が、車幅方向の空調ダクトとは反対側に切り欠かれているので、空調風が電装部品に直接当たらないようにすることができる。これにより、上記空調風が、電装部品によって遮られることはない。また、電装部品の熱を、例えば電装部品の下側や空調ダクトとは反対側へ放散するようにすれば、空調風が電力変換装置に直接当たらないことと相俟って、電装部品が上記空調風によってダメージを受けることはなく、しかも、上記空調風が、電装部品の熱の影響を受けることもない。
【００１３】
さらに、前側支持部の前側クロスメンバへの固定時に、傾き防止部が前側クロスメンバの上面に当接して、前側支持部が前側クロスメンバの上面から浮き上がるのを防止することができる。
【００１４】
上記車両の電装部品配設構造において、上記フロントシートがそのスライド移動可能範囲の最前方位置にあるときに、平面視で、上記電装部品の全体が、該フロントシートのシートクッションと重なっている、ことが好ましい。
【００１５】
このことにより、フロントシートがそのスライド移動可能範囲の最前方位置にあっても、リヤシートに着座している乗員の足から電装部品を保護することができとともに、電装部品が上記乗員からは見え難く、車室フロアの見栄えを向上させることができる。
【発明の効果】
【００１６】
以上説明したように、本発明の車両の電装部品配設構造によると、電装部品に、車幅方向におけるシートクッション下端部の突出部と同じ位置を含む所定範囲において、該突出部の下端と略同じ高さ位置又は該突出部の下端よりも高い位置まで段上げされ、かつ車両前後方向においてフロントシートの車両前後方向のスライド移動に伴う上記突出部の移動範囲内に位置する段上げ部を設け、この段上げ部に、フロントシートの車両前後方向のスライド移動時における上記突出部との干渉を避けるための切欠き部を形成し、上記段上げ部を、上記電装部品に設けられかつ該電装部品をフロアパネルに支持するためのブラケットの車両前側の端部に形成し、上記フロアパネル上における上記電装部品の車幅方向内側の部分に、上記フロントシートの車両後側へ空調風を吹き出す空調ダクトを、車両前後方向に延びるように配設し、上記ブラケットの車両後側端を、上記空調ダクトの吹出し口よりも車両後側に位置させ、上記ブラケットを含む上記電装部品における上記吹出し口よりも車両後側の空調ダクト側の部分を、車幅方向の空調ダクトとは反対側に切り欠き、上記段上げ部における車幅方向内側の部分を、前側クロスメンバの上面に支持固定される前側支持部とし、上記ブラケットの車両後側の端部における車幅方向外側の部分を、上記フロアパネルにおける上記電装部品の車両後側の部分に支持される後側支持部とし、上記段上げ部における車幅方向外側の部分に、上記前側支持部の上記前側クロスメンバへの固定時に、上記前側クロスメンバの上面に当接して、上記前側支持部が上記前側クロスメンバの上面から浮き上がるのを防止する傾き防止部を形成し、上記切欠き部を、上記前側支持部と上記傾き防止部との間の部分に形成したことにより、段上げ部と突出部との干渉を避けながら、熱を放散するためのスペースを含む電装部品の配設スペースを出来る限り確保することができ、限られたスペースを有効に利用して、電装部品を配設することができる。また、リヤシートに着座している乗員の足の先端部が電装部品に当たり難くなるとともに、ブラケットによって、電装部品を保護することができ、しかも、そのブラケットにより、電装部品の熱が乗員の足の側（上側）へ向かわないようにすることができる。さらに、ブラケットを含む電装部品における吹出し口よりも車両後側の空調ダクト側の部分を、車幅方向の空調ダクトとは反対側に切り欠くことで、空調ダクトの吹出し口から吹き出す空調風が、電装部品によって遮られることはなく、また、電装部品が上記空調風によってダメージを受けることもなく、しかも、上記空調風が、電装部品の熱の影響を受けることもない。さらに、前側支持部の前側クロスメンバへの固定時に、傾き防止部が前側クロスメンバの上面に当接して、前側支持部が前側クロスメンバの上面から浮き上がるのを防止することができる。
【図面の簡単な説明】
【００１７】
【図１】本発明の実施形態に係る電装部品配設構造が適用された車両の車体の要部を示す平面図である。
【図２】フロントシート及びその支持構造を示す側面図である。
【図３】フロアパネルにおける左側のフロントシートの下側を拡大して示す平面図である。
【図４】電力変換装置の構成を示す分解斜視図である。
【図５】図３のＶ−Ｖ線断面図である。
【図６】発電機、蓄電装置、電力変換装置、バッテリ及び車載電装品の電気接続関係を示す図である。
【図７】フロントシートのシートクッションの下端部及びその下側部分を、車両後側から見た図である。
【発明を実施するための形態】
【００１８】
以下、本発明の実施形態を図面に基づいて詳細に説明する。
【００１９】
図１は、本発明の実施形態に係る電装部品配設構造が適用された車両の車体１を示す。図１の左側がこの車両（車体１）の前側に相当する。以下、この車両（車体１）についての前、後、左、右、上及び下を、それぞれ単に前、後、左、右、上及び下という。
【００２０】
車体１の前部における車幅方向（左右方向）両端部には、前後方向に延びる左右一対のフロントサイドフレーム２が配設されている。これら両フロントサイドフレーム２の間の空間が、不図示のエンジンが配設されるエンジンルーム３とされている。各フロントサイドフレーム２の後部は、その高さ位置が後側に向かって徐々に低くなるキック部（図示せず）とされている。このキック部と略同じ前後位置には、上記エンジンルーム３と車室とを仕切るダッシュパネル５が車幅方向及び上下方向に延びるように設けられている。
【００２１】
左右のフロントサイドフレーム２の車幅方向外側の面には、ホイールハウスを構成するホイールハウスパネル８がそれぞれ固定され、左右のホイールハウスパネル８の上面には、サスペンションタワー９がそれぞれ設けられている。
【００２２】
左右のフロントサイドフレーム２の前端には、クラッシュカン１１がそれぞれ配設されている。各フロントサイドフレーム２の前端にフランジ部２ａが形成され、クラッシュカン１１の後端にもフランジ部１１ａが形成されており、これら互いのフランジ部２ａ，１１ａが合わされた状態で、不図示の締結部材（ボルト及びナット）によって固定されている。
【００２３】
上記左右のクラッシュカン１１の前端は、車幅方向に延びるバンパービーム１２の左右両端部にそれぞれ締結されている。このバンパービーム１２は、車両の前端部に設けられた不図示のフロントバンパー内に配設されていて、車両の前面衝突時の衝突荷重を受ける。そして、バンパービーム１２が車両の前面衝突時の衝突荷重を前側から受けたときに、左右のクラッシュカン１１が前後方向に潰れることで、その衝撃吸収を行うようになっている。尚、軽衝突時には、クラッシュカン１１及びフロントサイドフレーム２のうちクラッシュカンのみが潰れることで衝撃吸収を行えるが、クラッシュカン１１のみでは衝撃吸収を行えないような重衝突時には、フロントサイドフレーム２も前後方向に潰れることで衝撃吸収を行う。
【００２４】
上記ダッシュパネル５の下端部は、上記車室の底面を形成するフロアパネル１５の前端部と接続されている。このフロアパネル１５は、フロントフロア部１５ａと、このフロントフロア部１５ａの後側に位置し、フロントフロア部１５ａの後端から立ち上がってフロントフロア部１５ａよりも上側の高さ位置に位置するリヤフロア部１５ｂとを有している。
【００２５】
フロアパネル１５のフロントフロア部１５ａ上には、左右２つのフロントシート２１（一方が運転席シートであり、他方が助手席シートである）が車幅方向に並んで配設されている。フロアパネル１５上におけるフロントシート２１の車両後側（つまり、リヤフロア部５ｂ上）には、リヤシート２２が配設されている。フロントフロア部１５ａにおけるフロントシート２１の後側部分（フロントシート２１とリヤシート２２との間の部分）は、リヤシート２２に着座した乗員の足置き場となる部分である。
【００２６】
図２に示すように、各フロントシート２１は、シートクッション２１ａと、このシートクッション２１ａの後端部に前後方向に回動可能（リクライニング可能）に支持されたシートバック２１ｂと、このシートバック２１ｂの上端部に取り付けられたヘッドレスト２１ｃとを有している。
【００２７】
フロアパネル１５のフロントフロア部１５ａの車幅方向中央部（左右２つのフロントシート２１間）には、トンネル部１５ｃが形成されている。また、フロントフロア部１５ｃの上面におけるトンネル部１５ｃの左右両側部分には、車幅方向に延びる前側及び後側クロスメンバ１６，１７が互いに前後方向に間隔をあけて配設されている。
【００２８】
前側及び後側クロスメンバ１６，１７の上面には、フロントシート２１（シートクッション２１ａ）を前後方向にスライド移動可能にするためのシートレール２５のロアレール部２５ａが、各フロントシート２１につき２本ずつ取付固定されている。各フロントシート２１に対応する２本のロアレール部２５ａは、各フロントシート２１のシートクッション２１ａの車幅方向両端部に対応する部分において、前後方向に延びて前側クロスメンバ１６と後側クロスメンバ１７との間に掛け渡されている。すなわち、各ロアレール部２５ａの前端部が前側クロスメンバ１６の上面におけるレール固定部１６ａに取付固定され、各ロアレール部２５ａの後端部が後側クロスメンバ１７の上面におけるレール固定部１７ａに取付固定されている。一方、各フロントシート２１のシートクッション２１ａにおける車幅方向両端部の下端部には、ロアレール部２５ａに対して前後方向にスライド移動可能に係合するアッパレール部２５ｂが固定されている。これらロアレール部２５ａ及びアッパレール部２５ｂの係合により、フロントシート２１は、前側及び後側クロスメンバ１６，１７並びにシートレール２５を介して、フロアパネル１５（フロントフロア部１５ａ）上に前後方向にスライド移動可能に支持されることになる。尚、図２において、フロントシート２１がそのスライド移動可能範囲の最後方位置にあるときを実線で示し、スライド移動可能範囲の最前方位置にあるときを二点鎖線で示す。また、図３において、フロントシート２１のシートクッション２１ａがスライド移動可能範囲の最前方位置にあるときを二点鎖線で示す。
【００２９】
フロントシート２１がそのスライド移動可能範囲の最後方位置にあるときには、フロントシート２１のシートクッション２１ａの前端は、前後方向において、前側クロスメンバ１６と略同じ位置に位置するとともに、シートクッション２１ａの後端は、後側クロスメンバ１７よりも後側に位置する。一方、フロントシート２１がそのスライド移動可能範囲の最前方位置にあるときには、シートクッション２１ａの前端は、前側クロスメンバ１６よりも前側に位置するとともに、シートクッション２１ａの後端は、後側クロスメンバ１７よりも前側に位置しており、このときには、リヤシート２２に着座している乗員が、その足７１（図５参照）を後側クロスメンバ１７の上面（レール固定部１７ａを除く部分）に載せることが可能になる。
【００３０】
各フロントシート２１のロアレール部２５ａは、前側に向かって上側に傾斜するように前側及び後側クロスメンバ１６，１７のレール固定部１６ａ，１７ａに取付固定されている。これにより、フロントシート２１は、前側にスライド移動するに連れてフロントシート２１のシートクッション２１ａの高さ位置が上昇するようにフロアパネル１５上に支持されることになる。尚、前側及び後側クロスメンバ１６，１７の上面（レール固定部１６ａ，１７ａを含む）は、前側に向かって上側に傾斜している。前側及び後側クロスメンバ１６，１７の上面の水平に対する傾斜角は、ロアレール部２５ａの水平に対する傾斜角と同じである。
【００３１】
前側クロスメンバ１６の上面におけるレール固定部１６ａを除く部分の前後方向中央部には、車幅方向に延びる溝部１６ｂが形成されている。後側クロスメンバ１７の上面において、レール固定部１７ａは他の部分よりも高い位置に位置している。後側クロスメンバ１７の上面におけるレール固定部１７ａを除く部分（レール固定部１７ａよりも低い部分）の前後方向中央部には、車幅方向に延びる溝部１７ｂが形成されている。
【００３２】
上記ダッシュパネル５の車室側の面には、不図示のインストルメントパネルが配設され、このインストルメントパネル内に、車室内の空調を行う空調ユニット３１（図１参照）が配設されている。この空調ユニット３１は、上記インストルメントパネルに設けられた吹出し口から、フロントシート２１に着座している乗員へ空調風を吹き出すとともに、空調ユニット３１の下側部分から後側に延びる左右２つの空調ダクト３２（図１〜図３参照）を介して、リヤシート２２に着座している乗員へ空調風（特に温風）を吹き出すように構成されている。
【００３３】
上記２つの空調ダクト３２は、上記トンネル部１５ｃの左右両側近傍にて該トンネル部１５ｃに沿って前後方向に延びるようにフロアパネル１５（フロントフロア部１５ａ）上に配設されている。空調ダクト３２の後端には、フロントシート２１の後側、つまりリヤシート２２に着座している乗員へ空調風を吹き出す吹出し口３２ａが後向きに開口して設けられている。本実施形態では、図７に示すように、２つの吹出し口３２ａが車幅方向に並んで設けられており、２つ纏めた吹出し口３２ａからの空調風の吹出し範囲が、図３において斜線を施した範囲となっており、吹出し口３２ａから空調風が後側へ広がりながら吹き出すようになっている。
【００３４】
空調ダクト３２は、フロントシート２１のシートクッション２１ａの下側において、前側クロスメンバ１６よりも後側まで延びており、このため、前側クロスメンバ１６と空調ダクト３２とが交差する。本実施形態では、前側クロスメンバ１６には、空調ダクト３２が通過する孔１６ｃ（図７参照）が形成されており、空調ダクト３２がこの孔１６ｃを通って前側クロスメンバ１６を前後方向に貫通する。空調ダクト３２の吹出し口３２ａの前後方向の位置は、前側クロスメンバ１６と後側クロスメンバ１７との間の中間位置であって、本実施形態では、前側クロスメンバ１６と後側クロスメンバ１７との間の中央位置よりも僅かに前側の位置である。
【００３５】
本実施形態では、図６に示すように、上記車両の減速時に、上記エンジンにより駆動されかつエンジンルーム３内に配設された発電機４１（オルタネータ）によって発生した電気を蓄電する蓄電装置４３が設けられている。本実施形態では、蓄電装置４３は、キャパシタを含む。この蓄電装置４３から、電力変換装置５０を介して、上記車両に搭載された車載電装品４５に、上記蓄電した電気（電力）が供給されるように構成されている。上記車載電装品４５は、例えばオーディオ装置、ナビゲーション装置、照明装置等である。また、蓄電装置４３からの、車載電装品４５で使い切れない余剰分の電気（電力）は、該車載電装品４５に電気（電力）を供給するバッテリ４４に供給されて蓄電される。また、上記車両の減速時以外のときには、発電機４１からの電力が電力変換装置５０を介してバッテリ４４に供給されて蓄電される。
【００３６】
電力変換装置５０は、発電機４１（蓄電装置４３）からの電力を降圧してバッテリ４４及び車載電装品４５へ出力するＤＣ／ＤＣコンバータを含む。すなわち、発電機４１及び蓄電装置４３側の電圧（例えば２５Ｖ）が、バッテリ４４及び車載電装品４５側の電圧（１２Ｖ）よりも高いために、発電機４１（蓄電装置４３）からバッテリ４４及び車載電装品４５へ電力を供給する際に変圧する必要があり、そのためにＤＣ／ＤＣコンバータを含む電力変換装置５０が設けられる。
【００３７】
蓄電装置４３は、左側のフロントサイドフレーム２よりも車幅方向外側（左側）つまりエンジンルーム３の左外側でかつ前後方向において前輪とクラッシュカン１１との間の位置に配設されている（図１参照）。また、蓄電装置４３は、左側のフロントサイドフレーム２のフランジ部２ａ、又は、左側のクラッシュカン１１のフランジ部１１ａ（左側のフロントサイドフレーム２のフランジ部２ａと連結されるフランジ部）に支持される。これにより、蓄電装置４３がエンジンからの熱の影響を受け難くなり、車両走行風によって効率良く冷却することが可能になる。また、上記車両の前面衝突時（軽衝突時）に、蓄電装置４３がクラッシュカン１１による衝撃吸収作用を阻害することがなく、フロントサイドフレーム２が潰れるような重衝突時に、フロントサイドフレーム２による衝撃吸収作用を阻害することもない。
【００３８】
バッテリ４４は、鉛蓄電池であって、エンジンルーム３内の左後側部分に配設されているとともに、バッテリ４４の下側に配設されたバッテリ支持ブラケット４８を介して左側のフロントサイドフレーム２に支持されている（図１参照）。
【００３９】
図１及び図３に示すように、上記電力変換装置５０は、左側のフロントシート２１（以下、単にフロントシート２１という）のシートクッション２１ａとフロアパネル１５（フロントフロア部１５ａ）との間に配設されているとともに、同じくフロントシート２１のシートクッション２１ａとフロアパネル１５との間に配設された左側の空調ダクト３２（以下、単に空調ダクト３２という）に対して車幅方向に並んで配設されている。本実施形態では、電力変換装置５０は、空調ダクト３２に対して車幅方向外側にて前後方向に延びるように配設されている。電力変換装置５０は、本発明の、熱を発する電装部品に相当する。
【００４０】
図４に示すように、電力変換装置５０は、上記ＤＣ／ＤＣコンバータを含む電力変換装置本体部５１（電装部品本体部に相当する）と、ヒートシンク５２と、ハーネス接続部５３と、２つの端子部５４とを有する。
【００４１】
上記電力変換装置本体部５１は、内部に上記ＤＣ／ＤＣコンバータを収容するケース５１ａを有する。このケース５１ａの下面は開口しており、この開口はヒートシンク５２によって塞がれている。ケース５１ａはートシンク５２の上面に固定されている。
【００４２】
上記ヒートシンク５２は、上記電力変換装置本体部５１のケース５１ａの下側に設けられており、ヒートシンク５２の下面には、下側へ突出しかつ車幅方向に延びる複数の突条部５２ａが前後方向に並んで形成されている。そして、ヒートシンク５２により、電力変換装置本体部５１（ＤＣ／ＤＣコンバータ）が発した熱が下側へ放散される。
【００４３】
上記ハーネス接続部５３は、電力変換装置本体部５１のケース５１ａの車幅方向外側の面に設けられており、これにより、ハーネス接続部５３は、電力変換装置本体部５１よりも車幅方向外側に位置することになる。また、電力変換装置本体部５１が空調ダクト３２よりも車幅方向外側に位置するので、ハーネス接続部５３は、空調ダクト３２よりも車幅方向外側に位置することになる。尚、上記ヒートシンク５２は、ハーネス接続部５３の下側の部分にまで延びている。
【００４４】
ハーネス接続部５３は、蓄電装置４３と電力変換装置５０（ＤＣ／ＤＣコンバータ）とを接続する第１のハーネス３５及びバッテリ４４と電力変換装置５０（ＤＣ／ＤＣコンバータ）とを接続する第２のハーネス３６の電力変換装置５０側の端部が接続される部分である。これら２本のハーネス３５，３６は、ダッシュパネル５の下側及びフロントフロア部１５ａの前側部分の下側を通って、フロントフロア部１５ａにおけるハーネス接続部５３の前側の部分に形成された貫通孔１５ｄ（図３参照）から車室内に入って、ハーネス接続部５３の上面にまで達する。第１及び第２のハーネス３５，３６の各端部には、ボルト挿通孔が形成された接続用金具３７が取り付けられており、このボルト挿通孔に、ハーネス接続部５３に立設されたボルト５３ａを挿通した状態で、このボルト５３ａに不図示のナットを締結することで、接続用金具３７、ボルト５３ａ及びナットを介して第１及び第２のハーネス３５，３６がＤＣ／ＤＣコンバータと電気的に接続される。尚、本実施形態では、電力変換装置５０から車載電装品４５への電力の供給は、第２のハーネス３６及びバッテリ４４と車載電装品４５とを接続する不図示の第３のハーネスを介して行われる。
【００４５】
ハーネス接続部５３が、電力変換装置本体部５１及び空調ダクト３２よりも車幅方向外側に位置することで、第１及び第２のハーネス３５，３６をハーネス接続部５３へ接続する作業を車両の車幅方向外側から行う際に、電力変換装置本体部５１や空調ダクト３２に邪魔されることがなく、その作業を容易に行うことができる。
【００４６】
蓄電装置４３及び電力変換装置５０は、車幅方向において車両中央に対して同じ側（本実施形態では、左側）に配設されているので、車両中央に対して反対側に配設されている場合に比べて、第１のハーネス３５の長さを短くすることができる。同様に、バッテリ４４と電力変換装置５０も、車幅方向において車両中央に対して同じ側（左側）に配設されているので、車両中央に対して反対側に配設されている場合に比べて、第２のハーネス３６の長さを短くすることができる。このように第１及び第２のハーネス３５，３６（特に高電圧側の第１のハーネス３５）の長さを短くすることで、電力の供給損失を抑制することができる。
【００４７】
上記２つの端子部５４には、電力変換装置５０（ＤＣ／ＤＣコンバータ）と、エンジンルーム３内に配設されかつ電力変換装置５０を制御する不図示のコントローラとを接続する２本の信号線（図示せず）の電力変換装置５０側の端部がそれぞれ接続される。これらの信号線も、上記貫通孔１５ｄから車室内に入り、そのまま上側に延びて端子部５４に接続される。
【００４８】
電力変換装置５０には、該電力変換装置５０をフロアパネル１５（フロントフロア部１５ａ）に支持する（取り付ける）ためのブラケット５７が設けられている。電力変換装置５０は、ブラケット５７を介して、フロアパネル１５における前側及び後側クロスメンバ１６，１７間の部分に支持されている。これにより、前側クロスメンバ１６は、電力変換装置５０の前側に位置し、後側クロスメンバ１６は、電力変換装置５０の後側に位置することになる。
【００４９】
上記ブラケット５７は、電力変換装置本体部５１のケース５１ａの上面を覆うように、ヒートシンク５２の上面に４つのボルト６１により取付固定されている。すなわち、ブラケット５７は、電力変換装置５０の上側を覆う被覆部５７ａを有している。
【００５０】
ブラケット５７における被覆部５７ａの前側（ブラケット５７の前端部）には、被覆部５７ａの前端から段上げされかつ前側クロスメンバ１６の上面に支持される（取付固定される）前側支持部５７ｂが設けられ、ブラケット５７における被覆部５７ａの後側（ブラケット５７の後端部）には、フロアパネル１５に支持される（取付固定される）後側支持部５７ｃが設けられている。本実施形態では、後側支持部５７ｃは、フロアパネル１５の上面における後側クロスメンバ１７の前側の部分でかつ電力変換装置５０の後側の部分に設けられた支持部材５８を介して、フロアパネル１５に支持されている。すなわち、後側支持部５７ｃは、支持部材５８の上面に支持されている（取付固定されている）。尚、後側支持部５７ｃが、支持部材５８を介さずに直接フロアパネル１５における電力変換装置５０の後側の部分に支持される（取付固定される）ようにしてもよい。
【００５１】
前側支持部５７ｂの下面には、下側に突出する突部５７ｄ（図５参照）が形成されており、前側支持部５７ｂの上面における突部５７ｄに対応する部分は皿状に凹んでいる。上記突部５７ｄの下面は、前側クロスメンバ１６の上面に当接した状態で、１組のボルト６２及びナット６３（図３及び図５参照）により、前側支持部５７ｂが突部５７ｄにて前側クロスメンバ１６の上面に取付固定される。尚、突部５７ｄは、前側クロスメンバ１６の上面における溝部１６ｂから外れた部分（溝部１６ｂよりも後側部分）に当接する。
【００５２】
後側支持部５７ｃの下面及び支持部材５８の上面は略平坦であり、後側支持部５７ｃの下面が支持部材５８の上面に当接した状態で、２組のボルト６４及びナット６５（図３及び図５参照）により、後側支持部５７ｃが支持部材５８の上面に取付固定される。
【００５３】
前側支持部５７ｂの突部５７ｄには、図面では分かりにくいが、突部５７ｄの下面から下側に突出するように下側に折り曲げられてなる前側位置決め部５７ｅと、上記ボルト６２が挿通されるボルト挿通孔５７ｆとが設けられている（図３及び図４参照）。後側支持部５７ｃには、後側支持部５７ｃの下面から下側に突出するように下側に折り曲げられてなる後側位置決め部５７ｇと、上記各ボルト６４が挿通される２つのボルト挿通孔５７ｈとが設けられている（図３及び図４参照）。一方、図示は省略するが、前側クロスメンバ１６の上面には、前側位置決め部５７ｅが嵌る前側位置決め孔と、上記ボルト６２が挿通されるボルト挿通孔とが形成され、支持部材５８の上面には、後側位置決め部５７ｇが嵌る後側位置決め孔と、上記各ボルト６４が挿通される２つのボルト挿通孔とが形成されている。そして、電力変換装置５０に取り付けられたブラケット５７を前側クロスメンバ１６及び支持部材５８に取付固定する際に、先ず、前側位置決め部５７ｅ及び後側位置決め部５７ｇを、前側クロスメンバ１６の前側位置決め孔及び支持部材５８の後側位置決め孔にそれぞれ嵌めることで、ブラケット５７の位置決めを行う。これにより、前側支持部５７ｂのボルト挿通孔５７ｆと前側クロスメンバ１６のボルト挿通孔との位置が揃い、また、後側支持部５７ｃの２つのボルト挿通孔５７ｈと支持部材５８の２つのボルト挿通孔との位置がそれぞれ揃うことになる。この結果、ボルト６２，６４及びナット６３，６５の締結作業が容易になる。
【００５４】
前側支持部５７ｂは、ブラケット５７の前端部における車幅方向内側の部分に位置し、後側支持部５７ｃは、ブラケット５７の後端部における車幅方向外側の部分に位置する。電力変換装置５０を含むブラケット５７の重心は、平面視で、前側支持部５７ｂの中心と後側支持部５７ｃの中心とを結ぶラインよりも車幅方向外側に位置している。このため、電力変換装置５０に取り付けられたブラケット５７を前側クロスメンバ１６及び支持部材５８に取付固定するに際して、上記のようにブラケット５７の位置決めを行ったときに、ブラケット５７の車幅方向外側部分が下側に傾いて、突部５７ｄの下面が前側クロスメンバ１６の上面から浮き上がることになり、締結作業がやり難くなる。そこで、本実施形態では、ブラケット５７の前端部における車幅方向外側の部分に、傾き防止部５７ｉを設ける。この傾き防止部５７ｉは、前側支持部５７ｂと同様に、被覆部５７ａの前端から段上げされてなり、傾き防止部５７ｉの下面が前側クロスメンバ１６の上面に当接する。これにより、ブラケット５７の車幅方向外側部分が下側に傾こうとしても、傾き防止部５７ｉの下面が前側クロスメンバ１６の上面に当接するために傾くことはなく、よって、突部５７ｄの下面が前側クロスメンバ１６の上面から浮き上がることはない。
【００５５】
ブラケット５７が、上記のように前側クロスメンバ１６の上面及び支持部材５８の上面に取付固定されることで、電力変換装置５０は、フロアパネル１５（フロントフロア部１５ａ）に対して上側に離間した状態で、フロアパネル１５に支持されている。これにより、ヒートシンク５２とフロアパネル１５（フロントフロア部１５ａ）との間に隙間が生じ、ヒートシンク５２による熱の放散が十分に行えるようになる。
【００５６】
また、ヒートシンク５２が電力変換装置本体部５１の下側に配設されていることで、上記車両の下部が冠水したときに、電力変換装置本体部５１のケース５１ａ内に水が浸入するのを出来る限り抑制することができる。すなわち、ヒートシンク５２が電力変換装置本体部５１の上側に配設されている場合、ヒートシンク５２の上側に熱を放散するための空間が必要であることから、電力変換装置本体部５１はフロアパネル１５の上面に近接することになる。このため、車両下部冠水時における水位が、フロアパネル１５の上面よりも僅かに高くなったときに、電力変換装置本体部５１が水に浸かってケース５１ａ内に水が浸入することで、ＤＣ／ＤＣコンバータが破損する可能性が高くなる。このような水位でも、通常、車両の走行は可能であるので、本実施形態のような配置にして、ケース５１ａ内に水が浸入するのを抑制することが好ましい。
【００５７】
電力変換装置５０は、ブラケット５７によって、該電力変換装置５０の上面（及びブラケット５７の上面）が車両前側ほど高くなるように傾斜した状態で、前側クロスメンバ１６及び支持部材５８を介してフロアパネル１５に支持されている。すなわち、前側クロスメンバ１６の上面が支持部材５８の上面よりも高い位置にあり、ブラケット５７の高さ位置が、支持部材５８の上側位置から前側クロスメンバ１６の上側位置に向かって上昇する。これにより、ブラケット５７は、被覆部５７ａの上面に、前側に向かって上側に傾斜する傾斜面（後述の第１及び第２の傾斜面５７ｋ，５７ｊ）が形成されるように、フロアパネル１５に支持されている。
【００５８】
本実施形態では、上記傾斜面は、後側支持部５７ｃの前側でかつ電力変換装置本体部５１（ケース５１ａ）の後端部の上側に位置する第１の傾斜面５７ｋと、この第１の傾斜面５７ｋの前側でかつ電力変換装置本体部５１（ケース５１ａ）における後端部を除く部分の上側に位置する第２の傾斜面５７ｊとを含む（図５参照）。第１の傾斜面５７ｋは、後側支持部５７ｃの前端から段上げされた部分から、前側に向かって上側に傾斜して延びている。第２の傾斜面５７ｊは、第１の傾斜面５７ｋの前側に連続するように、第２の傾斜面５７ｊの前端から前側に向かって上側に傾斜して延びている。前側支持部５７ｂは、第２の傾斜面５７ｊの前端から段上げされてなり、第２の傾斜面５７ｊの前側に位置する。第１の傾斜面５７ｋの水平に対する傾斜角は、第２の傾斜面５７ｊの水平に対する傾斜角よりも大きい。また、第２の傾斜面５７ｊの水平に対する傾斜角は、ロアレール部２５ａの水平に対する傾斜角と同じである。尚、上記傾斜面として、第１の傾斜面５７ｋがなくて、第２の傾斜面５７ｊのみであってもよい。
【００５９】
このようにブラケット５７の被覆部５７ａの上面に、第１及び第２の傾斜面５７ｋ，５７ｊが形成されていることで、被覆部５７ａの後側の高さ位置が低くなり、図５に示すように、リヤシート２２に着座している乗員の足７１の先端部がフロントシート２１のシートクッション２１ａとフロアパネル１５との間に入ってきたとしても、その足７１の先端部が被覆部５７ａに当たり難くなる。また、フロントシート２１がそのスライド移動可能範囲の最前方位置にあるときには、足７１の先端部が被覆部５７ａに当たる可能性は高いが、足７１の先端部が被覆部５７ａに当たる場合、最初に第１の傾斜面５７ｋに当たり、この第１の傾斜面５７ｋによって上側へガイドされて、第２の傾斜面５７ｊとは当たり難くなる。ここで、後側クロスメンバ１７の上面が、前側に向かって上側に傾斜しているので、後側クロスメンバ１７の上面に足７１が載せられたときに、その足７１の先端側が上側を向くので、この点からも足７１の先端部が被覆部５７ａに当たり難くなる。
【００６０】
ここで、フロントシート２１がそのスライド移動可能範囲の最前方位置にあるときには、平面視で、電力変換装置５０の全体が、フロントシート２１のシートクッション２１ａと重なっている（図２及び図３参照）。本実施形態では、最前方位置にあるシートクッション２１ａの後端が、前後方向において、後側支持部５７ｃの後端と略同じ位置に位置するが、最前方位置にあるシートクッション２１ａの後端が、電力変換装置本体部５１の後端よりも後側に位置していればよい。
【００６１】
電力変換装置５０は、フロントシート２１のシートクッション２１ａの下側において、空調ダクト３２の吹出し口３２ａよりも後側まで延びている。すなわち、電力変換装置５０の後端は、吹出し口３２ａよりも後側に位置している。そして、電力変換装置５０における吹出し口３２ａよりも後側の空調ダクト３２側（車幅方向内側）の部分は、車幅方向の空調ダクト３２とは反対側（車幅方向外側）に切り欠かれてなる切欠き部５０ａとされている。電力変換装置５０の電力変換装置本体部５１（ケース５１ａ）、ヒートシンク５２及びブラケット５７における切欠き部５０ａに対応する部分は、平面視で三角形状に切り欠かれている。この切欠き部５０ａにより、電力変換装置５０における吹出し口３２ａよりも後側の空調ダクト３２側の面は、後側に向かって空調ダクトとは反対側（車幅方向外側）に傾斜している。この切欠き部５０ａは、吹出し口３２ａから後側へ広がりながら吹き出す空調風の吹出し範囲（図３において斜線を施した範囲）内に電力変換装置５０が入り込まないようにするためのものである。尚、平面視では、ブラケット５７の後側支持部５７ｃの一部が上記空調風の吹出し範囲と重なっているが、上記空調風の吹出し範囲は、後側に向かって上側に上昇するので、後側支持部５７ｃは、上記空調風の吹出し範囲の下側に位置しており、該範囲内には入っていない。
【００６２】
ここで、本実施形態では、フロントシート２１（シートクッション２１ａ）の前後方向のスライド移動は、電動で行われる。すなわち、図７に示すように、フロントシート２１のシートクッション２１ａの下端部に、アッパレール部２５ｂをロアレール部２５ａに対してスライド移動させるスライドモータ８１が配設されている。このスライドモータ８１は、モータ軸８２がモータケース８３から車幅方向外側に延びるように配設されている。モータ軸８２の先端部には、上記アッパレール部２５ｂに連結された不図示の伝達機構のギヤと噛み合うギヤ８４が固定されている。尚、図７中、８９は、シートクッション２１ａの上下位置を調整するための上下調整モータである。
【００６３】
上記モータケース８３は、車幅方向内側に開口するカップ状のケース本体８３ａと、このケース本体８３ａの開口を閉塞しかつ内部にブラシ（整流子）等が配設された閉塞部材８３ｂとを有する。この閉塞部材８３ｂの外径が、ケース本体８３ａの外径よりも大きくされており、このことで、閉塞部材８３ｂの下部は、シートクッション２１ａの下端部に下側に突出するように設けられた突出部に相当することになる。
【００６４】
上記閉塞部材８３ｂ（突出部）は、フロントシート２１の前後方向のスライド移動に伴って、前後方向において、第２の傾斜面５７ｊの上側位置と、ブラケット５７の前端部、つまり前側支持部５７ｂから傾き防止部５７ｉにかけての部分の上側位置との間で移動する。
【００６５】
上記ブラケット５７の前端部（前側支持部５７ｂから傾き防止部５７ｉにかけての部分）は、車幅方向における閉塞部材８３ｂと同じ位置を含む所定範囲において、前側クロスメンバ１６の上面よりも低い高さ位置から前側クロスメンバ１６の上面よりも高い高さ位置でかつ閉塞部材８３ｂの下端と略同じ高さ位置まで段上げされた段上げ部５７ｌとされている。上記所定範囲は、基本的には、ブラケット５７の前端部を前側クロスメンバ１６に確実に支持可能な範囲であり、本実施形態では、上記の如く支持前のブラケット５７の傾きを防止可能な範囲を含む。尚、傾き防止部５７ｉを前側クロスメンバ１６の上面に締結するようにしてもよい。
【００６６】
本実施形態では、段上げ部５７ｌ（上面）の高さ位置は、厳密には、閉塞部材８３ｂの下端よりも低い位置であるが、部品誤差等を考慮すれば、閉塞部材８３ｂの下端と同じ高さ位置と見做せる。段上げ部５７ｌは、前後方向においてフロントシート２１の前後方向のスライド移動に伴う閉塞部材８３ｂの移動範囲内に位置する。したがって、閉塞部材８３ｂは、第２の傾斜面５７ｊの上側位置に位置するときには、第２の傾斜面５７ｊとは干渉しないが、該位置から前側にスライド移動して、段上げ部５７ｌの上側位置に位置するときには、段上げ部５７ｌと干渉する可能性がある。
【００６７】
そこで、本実施形態では、段上げ部５７ｌに、フロントシート２１の前後方向のスライド移動時における閉塞部材８３ｂとの干渉を避けるための切欠き部５７ｍが形成されている。すなわち、段上げ部５７ｌにおける閉塞部材８３ｂと車幅方向において同じ部分、つまり、ブラケット５７における前側クロスメンバ１６の上側に位置する部分であって前側支持部５７ｂと傾き防止部５７ｉとの間の部分に、切欠き部５７ｍが形成されており、閉塞部材８３ｂが段上げ部５７ｌの上側位置に位置しても、切欠き部５７ｍの上側位置に位置することになり、段上げ部５７ｌと干渉することはない。
【００６８】
したがって、本実施形態では、電力変換装置５０に設けられたブラケット５７における前側クロスメンバ１６の上側に位置する部分に段上げ部５７ｌを設けることにより、前側クロスメンバ１６の上側も電力変換装置５０の配設スペースとして有効に利用することができる。そして、段上げ部５７ｌにおける閉塞部材８３ｂと車幅方向において同じ部分には、切欠き部５７ｌが形成されているので、閉塞部材８３ｂが段上げ部５７ｌの上側位置に位置しても、段上げ部５７ｌと閉塞部材８３ｂとが干渉することはない。よって、段上げ部５７ｌと閉塞部材８３ｂとの干渉を避けながら、熱を放散するためのスペースを含む電力変換装置５０の配設スペースを出来る限り確保することができ、限られたスペースを有効に利用して、電力変換装置５０を配設することができる。
【００６９】
また、ブラケット５７（被覆部５７ａ）が電力変換装置５０の上側を覆うように設けられているので、リヤシート２２に着座している乗員の足７１の先端部がブラケット５７に当たったとしても、このブラケット５７によって、電力変換装置５０を保護することができる。さらに、そのブラケット５７により、電力変換装置５０の熱が乗員の足７１の側（上側）へ向かわないようにすることができる。
【００７０】
本発明は、上記実施形態に限られるものではなく、請求の範囲の主旨を逸脱しない範囲で代用が可能である。
【００７１】
例えば、上記実施形態では、段上げ部５７ｌが、閉塞部材８３ｂの下端と略同じ高さ位置（部品誤差等を考慮して、閉塞部材８３ｂの下端と実質的に同じ高さ位置）まで段上げされているが、段上げ部５７ｌが、閉塞部材８３ｂの下端よりも高い位置まで段上げされていてもよい。但し、段上げ部５７ｌの高さ位置は、シートクッション２１ａにおける閉塞部材８３ｂ以外の部材（例えばケース本体８３ａ）と干渉しない高さ位置にする必要がある。
【００７２】
さらに、上記実施形態では、熱を発する電装部品として、ＤＣ／ＤＣコンバータを含む電力変換装置５０を例にして説明したが、これに限らず、例えばキャパシタを含む蓄電装置４３であってもよい。蓄電装置４３としては、キャパシタに代えて、キャパシタと同様に電気を蓄電する二次電池（ニッケル水素二次電池、ニッカド二次電池、リチウムイオン二次電池、鉛蓄電池等の二次電池）を含むものであってもよい。但し、キャパシタの方が、蓄電装置４３に対する電気の入出力が素早く行えて好ましい。
【００７３】
さらにまた、上記実施形態に係る車両は、エンジンで駆動されるものであるが、モータが車両前部のエンジンルーム３（モータルームともいう）内に配設されて該モータで駆動される電動車両であってもよく、エンジンとモータとを併用するハイブリッド車両であってもよい。このようなモータを使用する場合、モータ駆動用バッテリ（電源装置）と、該モータ駆動用バッテリからの直流電力を交流電力に変換してモータに電力を供給するインバータを含むインバータユニットとが必要になるが、そのモータ駆動用バッテリ又はインバータユニットを、熱を発する電装部品として、フロントシート２１のシートクッション２１ａとフロアパネル１５との間に配設することも可能である。
【００７４】
上述の実施形態は単なる例示に過ぎず、本発明の範囲を限定的に解釈してはならない。本発明の範囲は請求の範囲によって定義され、請求の範囲の均等範囲に属する変形や変更は、全て本発明の範囲内のものである。
【産業上の利用可能性】
【００７５】
本発明は、フロントシートのシートクッションとフロアパネルとの間に配設された、熱を発する電装部品を備えた車両の電装部品配設構造に有用である。
【符号の説明】
【００７６】
１５    フロアパネル
１６    前側クロスメンバ（ブラケットが取り付けられるクロスメンバ）
２１    フロントシート
２１ａ  シートクッション
２２    リヤシート
３２    空調ダクト
３２ａ  吹出し口
４３    蓄電装置
４５    車載電装品
５０    電力変換装置（熱を発する電装部品）
５１    電力変換装置本体部（電装部品本体部）
５３    ハーネス接続部
５７    ブラケット
５７ｂ  前側支持部
５７ｃ 後側支持部
５７ｉ  傾き防止部
５７ｌ  段上げ部
５７ｍ  切欠き部
８３ｂ  閉塞部材（突出部）
【図１】
0005598405.tif 000002
【図２】
0005598405.tif 000003
【図３】
0005598405.tif 000004
【図４】
0005598405.tif 000005
【図５】
0005598405.tif 000006
【図６】
0005598405.tif 000007
【図７】
0005598405.tif 000008